(57)【要約】【課題】反射型の空間光変調器を備えた車載用の空間光変調ユニットにおいて、振動荷重等によって空間光変調器と支持基板との接続部分が破損してしまうのを効果的に抑制する。【解決手段】空間光変調器２０よりもユニット後方側に、該空間光変調器２０と電気的に接続された状態で該空間光変調器２０の周縁部をソケット２２を介して支持する支持基板３０が配置された構成とする。また、空間光変調器２０よりもユニット前方側に、その周縁部に当接するブラケット３０が配置された構成とする。その上で、支持基板３０の複数箇所に、該支持基板３０をユニット前後方向両側から挟持する挟持部材３２が装着された状態で、各挟持部材３２がブラケット４０に固定された構成とする。これにより、空間光変調ユニット１０に振動荷重や衝撃荷重が作用した場合であっても、支持基板３０とブラケット４０とのユニット前後方向の位置関係がずれてしまわないようにする。【選択図】図４
2020042929.tif 000002
【特許請求の範囲】
【請求項１】
光源からの光を反射させる反射型の空間光変調器を備えた車載用の空間光変調ユニットにおいて、
上記空間光変調器よりもユニット後方側に、該空間光変調器と電気的に接続された状態で該空間光変調器の周縁部をユニット後方側から支持する支持基板が配置されており、
上記空間光変調器よりもユニット前方側に、該空間光変調器の周縁部にユニット前方側から当接するブラケットが配置されており、
上記支持基板の複数箇所に、該支持基板をユニット前後方向両側から挟持する挟持部材が装着されており、
上記各挟持部材は上記ブラケットに固定されている、ことを特徴とする空間光変調ユニット。
【請求項２】
上記ブラケットの複数箇所に、ユニット前後方向と直交する方向に延びるネジ穴が形成されており、
上記各挟持部材に、ユニット前後方向に延びる長孔が形成されており、
上記各長孔を介して上記各ネジ穴にネジが締め付けられることにより、上記各挟持部材の上記ブラケットへの固定が行われている、ことを特徴とする請求項１記載の空間光変調ユニット。
【請求項３】
上記ブラケットの上記複数箇所の各々に、上記各挟持部材と係合した状態でユニット前後方向に延びるガイド溝部が形成されている、ことを特徴とする請求項２記載の空間光変調ユニット。
【請求項４】
上記支持基板の上記複数箇所が、上記空間光変調器の左右両側の上下２箇所に設定されている、ことを特徴とする請求項１〜３いずれか記載の空間光変調ユニット。
【請求項５】
上記各挟持部材は、Ｌ字形に形成された２枚の金属板がユニット前後方向に間隔をおいて配置された状態で互いに溶接されることにより構成されている、ことを特徴とする請求項１〜４いずれか記載の空間光変調ユニット。
【請求項６】
上記支持基板よりもユニット後方側に、上記空間光変調器の中央部に当接した状態で該空間光変調器をユニット前方側へ向けて弾性的に押圧するヒートシンクが配置されている、ことを特徴とする請求項１〜５いずれか記載の空間光変調ユニット。
【請求項７】
上記空間光変調器の周囲に、上記ヒートシンクを上記ブラケットに固定するための複数の段付きボルトが配置されており、
上記各段付きボルトは、該段付きボルトの大径部が上記ヒートシンクに形成されたボルト挿通孔および上記支持基板に形成されたボルト挿通孔を挿通した状態で該大径部の先端面において上記ブラケットに当接するとともに該段付きボルトの小径部において上記ブラケットに螺着されており、
上記各段付きボルトの大径部に、上記ヒートシンクをユニット前方へ向けて弾性的に押圧するためのバネが取り付けられている、ことを特徴とする請求項６記載の空間光変調ユニット。
【請求項８】
上記空間光変調器の周囲に、ユニット前後方向に延びる少なくとも１つのシャフトが、該シャフトの後端部において上記ヒートシンクに固定された状態で配置されており、
上記支持基板に少なくとも１つのシャフト挿通孔が形成されるとともに、上記ブラケットに少なくとも１つのシャフト位置決め孔が形成されており、
上記各シャフトは、上記各シャフト挿通孔を挿通した状態で該シャフトの前端部が各シャフト位置決め孔に挿入されている、ことを特徴とする請求項６または７記載の空間光変調ユニット。
【発明の詳細な説明】
【技術分野】
【０００１】
本願発明は、反射型の空間光変調器を備えた車載用の空間光変調ユニットに関するものである。
【背景技術】
【０００２】
従来より、車載用の空間光変調ユニットとして、反射型の空間光変調器を備えたものが知られている。例えば「特許文献１」には、車両用灯具における空間光変調ユニットとして、光源からの光を投影レンズへ向けて反射させるように構成された空間光変調器を備えたものが記載されている。
【０００３】
また従来より、反射型の空間光変調器を備えた空間光変調ユニットの構成として、空間光変調器とこの空間光変調器の周縁部をユニット後方側から支持する支持基板とが電気的に接続されたものが知られている。
【先行技術文献】
【特許文献】
【０００４】
【特許文献１】特開２０１６−９１９７６号公報
【発明の概要】
【発明が解決しようとする課題】
【０００５】
上記「特許文献１」に記載された空間光変調ユニットにおいては、空間光変調器によって反射光の空間的な分布を制御することにより、車両用灯具として種々の配光パターンを精度良く形成することが可能である。
【０００６】
ところで、反射型の空間光変調器を備えた空間光変調ユニットの構成として、空間光変調器よりもユニット前方側に、その周縁部にユニット前方側から当接するブラケットが配置された構成とすれば、空間光変調器と支持基板との電気的接続を安定的に維持することが可能となる。
【０００７】
しかしながら、このような構成をそのまま車載用の空間光変調ユニットに適用した場合には、次のような問題が生じてしまうおそれがある。
【０００８】
すなわち、車載用の空間光変調ユニットには車両走行等によって振動荷重や衝撃荷重が作用するので、空間光変調器を支持する支持基板とブラケットとの位置関係がずれやすくなる。そして、支持基板とブラケットとの位置関係がずれると、空間光変調器と支持基板との接続部分に無理な荷重が作用してしまうので、これにより接続部分が破損してしまうおそれがある。
【０００９】
本願発明は、このような事情に鑑みてなされたものであって、反射型の空間光変調器を備えた車載用の空間光変調ユニットにおいて、振動荷重等によって空間光変調器と支持基板との接続部分が破損してしまうのを効果的に抑制することができる空間光変調ユニットを提供することを目的とするものである。
【課題を解決するための手段】
【００１０】
本願発明は、空間光変調器の支持構造に工夫を施すことにより、上記目的達成を図るようにしたものである。
【００１１】
すなわち、本願発明に係る空間光変調ユニットは、
光源からの光を反射させる反射型の空間光変調器を備えた車載用の空間光変調ユニットにおいて、
上記空間光変調器よりもユニット後方側に、該空間光変調器と電気的に接続された状態で該空間光変調器の周縁部をユニット後方側から支持する支持基板が配置されており、
上記空間光変調器よりもユニット前方側に、該空間光変調器の周縁部にユニット前方側から当接するブラケットが配置されており、
上記支持基板の複数箇所に、該支持基板をユニット前後方向両側から挟持する挟持部材が装着されており、
上記各挟持部材は上記ブラケットに固定されている、ことを特徴とするものである。
【００１２】
上記「空間光変調ユニット」は、車載用であればその具体的な用途は特に限定されるものではなく、例えば、車両用灯具において配光パターンを形成するための機能を果たすものや、ヘッドアップディスプレイ（ＨＵＤ）等において画像情報を生成するための機能を果たすもの等が採用可能である。
【００１３】
上記「空間光変調器」は、光源からの光を反射させる際にその反射光の空間的な分布を制御することが可能なものであれば、その具体的な構成は特に限定されるものではなく、例えばデジタルマイクロミラーを用いたものや反射型液晶を用いたもの等が採用可能である。
【００１４】
上記「ユニット前後方向」とは、空間光変調器の反射光制御領域と直交する方向を意味するものであって、反射光制御領域の正面側が「ユニット前方側」であり、反射光制御領域の背面側が「ユニット後方側」である。
【００１５】
上記「空間光変調器」による光源からの光の反射方向は、該空間光変調器の反射光制御領域に対して垂直な方向であってもよいし、これに対して傾斜した方向であってもよい。
【００１６】
上記「支持基板」は、空間光変調器と電気的に接続された状態で該空間光変調器の周縁部をユニット後方側から支持する構成となっているが、その際、空間光変調器の周縁部を直接支持する構成となっていてもよいし、他の部材を介して空間光変調器の周縁部を支持する構成となっていてもよい。
【００１７】
上記各「挟持部材」は、支持基板をユニット前後方向両側から挟持した状態で支持基板に装着されていれば、その具体的な挟持構造や装着位置は特に限定されるものではない。また、上記各「挟持部材」をブラケットに固定するための具体的な構造についても特に限定されるものではない。
【発明の効果】
【００１８】
本願発明に係る空間光変調ユニットは、光源からの光を反射させる反射型の空間光変調器を備えているので、この空間光変調器においてその反射光の空間的な分布を制御することにより、種々の配光パターンを精度良く形成したり種々の画像情報を精度良く生成することができる。
【００１９】
その際、空間光変調器は、該空間光変調器の周縁部をユニット後方側から支持する支持基板と電気的に接続されているが、空間光変調器のユニット前方側にはその周縁部にユニット前方側から当接するブラケットが配置されているので、空間光変調器と支持基板との電気的接続を安定的に維持することができる。
【００２０】
その上で、支持基板の複数箇所には該支持基板をユニット前後方向両側から挟持する挟持部材が装着されており、各挟持部材はブラケットに固定されているので、支持基板とブラケットとをユニット前後方向に関して一定の位置関係に維持することができる。
【００２１】
したがって、空間光変調ユニットに振動荷重や衝撃荷重が作用した場合であっても、支持基板とブラケットとのユニット前後方向の位置関係がずれてしまわないようにすることができる。そしてこれにより、空間光変調ユニットが車載用であるにもかかわらず、空間光変調器と支持基板との接続部分に無理な荷重が作用して該接続部分が破損しまうのを効果的に抑制することができる。
【００２２】
このように本願発明によれば、反射型の空間光変調器を備えた車載用の空間光変調ユニットにおいて、振動荷重等によって空間光変調器と支持基板との接続部分が破損してしまうのを効果的に抑制することができる。
【００２３】
上記構成において、さらに、ブラケットの複数箇所にユニット前後方向と直交する方向に延びるネジ穴が形成されるとともに、各挟持部材にユニット前後方向に延びる長孔が形成された構成とした上で、各長孔を介して各ネジ穴にネジが締め付けられることにより各挟持部材のブラケットへの固定が行われる構成とすれば、支持基板がユニット前後方向に関して最適な位置に配置された状態でブラケットに固定支持される構成とすることができる。そしてこれにより、振動荷重等によって空間光変調器と支持基板との接続部分が破損してしまうのを一層効果的に抑制することができる。
【００２４】
その際、ブラケットの複数箇所の各々に、各挟持部材と係合するようにしてユニット前後方向に延びるガイド溝部が形成された構成とすれば、各挟持部材をネジ締めによって支持基板に装着する際に該挟持部材が不用意に回転してしまうのを未然に防止することができる。そしてこれにより、各挟持部材を支持基板に対して適正な状態で装着することができる。
【００２５】
上記構成において、さらに、支持基板において各挟持部材が装着される複数箇所が、空間光変調器の左右両側の上下２箇所に設定された構成とすれば、ブラケットによる支持基板の固定支持が安定的に行われるようにすることができる。そしてこれにより、振動荷重等によって空間光変調器と支持基板との接続部分が破損してしまうのを一層効果的に抑制することができる。
【００２６】
上記構成において、さらに、各挟持部材の構成として、Ｌ字形に形成された２枚の金属板がユニット前後方向に間隔をおいて配置された状態で互いに溶接された構成とすれば、各挟持部材を安価で簡易な構成とすることができる。
【００２７】
上記構成において、さらに、支持基板よりもユニット後方側に、空間光変調器の中央部に当接した状態で該空間光変調器をユニット前方側へ向けて弾性的に押圧するヒートシンクが配置された構成とすれば、空間光変調器に無理な荷重が作用しないようにした上で空間光変調器の放熱を図ることができる。
【００２８】
その際、支持基板とブラケットとのユニット前後方向の位置関係は一定に維持されているので、空間光変調ユニットに振動荷重や衝撃荷重が作用した場合であっても空間光変調器とヒートシンクとの位置関係がずれてしまうことはなく、したがって空間光変調器がヒートシンクからの荷重によって破損してしまうのを未然に防止することができる。
【００２９】
このようなヒートシンクを備えた構成とした場合において、空間光変調器の周囲に、ヒートシンクをブラケットに固定するための複数の段付きボルトが配置された構成とした上で、各段付きボルトの構成として、その大径部がヒートシンクに形成されたボルト挿通孔および支持基板に形成されたボルト挿通孔を挿通した状態でその先端面においてブラケットに当接するとともにその小径部においてブラケットに螺着された構成とし、かつ、その大径部にヒートシンクをユニット前方へ向けて弾性的に押圧するためのバネが取り付けられた構成とすれば、ヒートシンクによる空間光変調器の押圧が所定の弾性押圧力で安定的に行われるようにすることが容易に可能となる。
【００３０】
また、このようなヒートシンクを備えた構成とした場合において、さらに、空間光変調器の周囲に、ユニット前後方向に延びる少なくとも１つのシャフトがその後端部においてヒートシンクに固定された状態で配置された構成とした上で、支持基板に少なくとも１つのシャフト挿通孔が形成されるとともに、ブラケットに少なくとも１つのシャフト位置決め孔が形成された構成とし、さらに各シャフトの構成として、各シャフト挿通孔を挿通するように配置された状態でその前端部が各シャフト位置決め孔に挿入された構成とすれば、次のような作用効果を得ることができる。
【００３１】
すなわち、少なくとも１つのシャフトの存在によって、ヒートシンクとブラケットとがユニット前後方向と直交する方向に関して一定の位置関係に維持されるようにすることができる。したがって、支持基板の複数箇所に挟持部材が装着されることのみによっては、支持基板とブラケットとがユニット前後方向と直交する方向に関して一定の位置関係に維持されることが困難な場合であっても、その位置関係を維持することができる。そしてこれにより、挟持部材が装着される箇所を最小限に抑えることが可能となり、また各挟持部材の構成をより簡素化することが可能となる。
【００３２】
上記「少なくとも１つのシャフト」は、ヒートシンクとは別部材で構成されていてもよいし、ヒートシンクと一体的に形成されていてもよい。
【図面の簡単な説明】
【００３３】
【図１】本願発明の第１実施形態に係る空間光変調ユニットが組み込まれた車両用灯具を示す正面図
【図２】図１のII方向矢視図
【図３】図１のIII−III線断面図
【図４】図１のIV−IV線断面図
【図５】図２のＶ部詳細図
【図６】上記空間光変調ユニットをその構成要素に分解して示す斜視図
【図７】上記空間光変調ユニットの要部を示す斜視図
【図８】上記車両用灯具のレンズ側サブアッシーを上記空間光変調ユニットのブラケットと共に分解して示す斜視図
【図９】上記第１実施形態の第１〜第４変形例に係る挟持部材を示す斜視図
【図１０】本願発明の第２実施形態に係る空間光変調ユニットが組み込まれたヘッドアップディスプレイを示す側断面図
【発明を実施するための形態】
【００３４】
以下、図面を用いて、本願発明の実施の形態について説明する。
【００３５】
まず、本願発明の第１実施形態について説明する。
【００３６】
図１は、本実施形態に係る空間光変調ユニット１０が組み込まれた車両用灯具１００を示す正面図であり、図２は図１のII方向矢視図である。また、図３は図１のIII−III線断面図であり、図４は図１のIV−IV線断面図である。なお、これらの図においては構成要素の一部を適宜破断した状態で示している。
【００３７】
これらの図において、Ｘで示す方向が空間光変調ユニット１０および車両用灯具１００としての「前方」（車両としても「前方」）であり、Ｙで示す方向が「前方」と直交する「左方向」（車両としても「左方向」であるが灯具正面視では「右方向」）であり、Ｚで示す方向が「上方向」である。これら以外の図においても同様である。
【００３８】
これらの図に示すように、本実施形態に係る車両用灯具１００は、車両の前端部に設けられるヘッドランプであって、図示しないランプボディと透光カバーとで形成される灯室内に組み込まれたプロジェクタ型の灯具ユニットとして構成されている。
【００３９】
この車両用灯具１００は、空間光変調ユニット１０と、光源側サブアッシー６０と、レンズ側サブアッシー７０とを備えた構成となっている。そして、この車両用灯具１００は、その空間光変調ユニット１０の構成要素であるブラケット４０において、図示しない取付構造を介して上記ランプボディに支持されるようになっている。
【００４０】
図３に示すように、光源側サブアッシー６０は、光源６２と、この光源６２からの出射光を空間光変調ユニット１０へ向けて反射させるリフレクタ６４と、これらを支持するベース部材６６とを備えた構成となっている。
【００４１】
空間光変調ユニット１０は、空間光変調器２０と、この空間光変調器２０よりも灯具後方側（すなわちユニット後方側）に配置された支持基板３０と、この支持基板３０よりも灯具前方側に配置されたブラケット４０と、空間光変調器２０よりも灯具後方側に配置されたヒートシンク５０とを備えた構成となっている。
【００４２】
レンズ側サブアッシー７０は、車両前後方向に延びる光軸Ａｘを有する投影レンズ７２と、この投影レンズ７２を支持するレンズホルダ７４とを備えた構成となっている。
【００４３】
そして、本実施形態に係る車両用灯具１００は、リフレクタ６４で反射した光源６２からの光を空間光変調器２０および投影レンズ７２を介して灯具前方へ向けて照射することにより、種々の配光パターン（例えば、ロービーム用配光パターンやハイビーム用配光パターンあるいは車両走行状況に応じて変化する配光パターンさらには車両前方路面に文字や記号等を描画する配光パターン等）を精度良く形成し得る構成となっている。
【００４４】
これを実現するため、車両用灯具１００の組立工程においては、光源６２を点灯させて配光パターンを形成した状態で、空間光変調器２０と投影レンズ７２との位置関係を微調整し、その位置関係精度を高めるようになっている。
【００４５】
次に、空間光変調ユニット１０、光源側サブアッシー６０およびレンズ側サブアッシー７０の各々の具体的な構成について説明する。
【００４６】
まず、空間光変調ユニット１０の構成について説明する前に、光源側サブアッシー６０の構成について説明する。
【００４７】
光源６２は、白色発光ダイオードであって、その発光面を斜め上前方へ向けた状態でベース部材６６に固定支持されている。このベース部材６６は、空間光変調ユニット１０のブラケット４０に固定支持されている。
【００４８】
リフレクタ６４は、光源６２を灯具前方側から覆うようにして配置されており、その周縁部においてベース部材６６に固定支持されている。このリフレクタ６４は、光源６２からの出射光を斜め上後方へ向けて反射させるようになっている。その際、このリフレクタ６４の反射面６４ａは、光源６２からの出射光を、投影レンズ７２の後側焦点Ｆを含む後側焦点面の近傍に収束させるように形成されている。
【００４９】
次に、空間光変調ユニット１０の構成について説明する。
【００５０】
空間光変調器２０は、反射型の空間光変調器であって、反射光制御領域２０ａとして複数の（例えば数十万個の）微小ミラーがマトリクス状に配置されてなるデジタルマイクロミラーディバイス（ＤＭＤ）で構成されている。
【００５１】
この空間光変調器２０は、その反射光制御領域２０ａを構成する複数の微小ミラーの各々の反射面の角度を制御することによって、該反射光制御領域２０ａに到達した光源６２からの光の反射方向を選択的に切り換え得る構成となっている。具体的には、光源６２からの光を投影レンズ７２へ向けて反射させるモードとそれ以外の方向（すなわち配光パターンの形成に悪影響を及ぼさない方向）へ向けて反射させるモードとが選択されるようになっている。
【００５２】
この空間光変調器２０は、その反射光制御領域２０ａの前面が投影レンズ７２の後側焦点Ｆの位置において光軸Ａｘと直交する鉛直面に沿って延びるようにした状態で配置されており、その反射光制御領域２０ａは光軸Ａｘを中心とする横長矩形状の外形形状を有している。
【００５３】
この空間光変調器２０において反射光制御領域２０ａを囲む周縁部２０ｂは、その前面が反射光制御領域２０ａの前面に対して灯具後方側に段下がりになった状態で形成されており、その後面においてソケット２２を介して支持基板３０に支持されている。
【００５４】
ソケット２２は、空間光変調器２０の周縁部２０ｂに沿った横長矩形状のフレーム部材として構成されており、支持基板３０に形成された導電パターン（図示せず）と電気的に接続された状態で該支持基板３０に固定されている。この支持基板３０には、ソケット２２の内周縁形状と略同一形状の開口部３０ａが形成されている。
【００５５】
図４に示すように、空間光変調器２０の周縁部２０ｂには、その後面から灯具後方へ向けて突出する複数の端子ピン２０ｃが形成されている。一方、ソケット２２には、複数の端子ピン２０ｃと対応する位置においてその後面から灯具後方へ向けて突出する複数の端子ピン２２ａが形成されている。
【００５６】
ソケット２２の各端子ピン２２ａは、その基端部（すなわち該ソケット２２に埋設された先端部分）が略筒状に形成されており、この基端部に空間光変調器２０の各端子ピン２０ｃの先端部が嵌め込まれることによって、空間光変調器２０とソケット２２とが電気的に接続されるようになっている。
【００５７】
ソケット２２の各端子ピン２２ａは、その先端部（すなわち後端部）において支持基板３０の導電パターンにハンダ付けされている。このため、ソケット２２は、その後面が支持基板３０の前面から僅かに浮いた状態で配置されている。
【００５８】
空間光変調ユニット１０は、その空間光変調器２０がブラケット４０とヒートシンク５０とによって灯具前後方向両側から支持された構成となっている。
【００５９】
ブラケット４０は、金属製（例えばアルミダイカスト製）の部材であって、光軸Ａｘと直交する鉛直面に沿って延びる鉛直面部４０Ａと、この鉛直面部４０Ａの下端縁から灯具前方へ向けて水平面に沿って延びる水平面部４０Ｂとを備えた構成となっている。また、ブラケット４０の左右両端部には、鉛直面部４０Ａと水平面部４０Ｂとの接続部分を補強するための補強フランジ部４０Ｃが形成されている。
【００６０】
図１に示すように、鉛直面部４０Ａには、横長矩形状の開口部４０Ａａが光軸Ａｘを中心として形成されている。この開口部４０Ａａは、空間光変調器２０の外周縁形状よりも小さいがその反射光制御領域２０ａよりは大きい横長矩形状の開口形状を有しており、その内周面の前端縁は全周にわたって面取りされている。
【００６１】
この鉛直面部４０Ａの後面には、その開口部４０Ａａの周囲の３箇所に灯具後方へ向けて突出する円柱状の突起部４０Ａｈが形成されている。そして、ブラケット４０は、これら３箇所の突起部４０Ａｈの先端面（すなわち後端面）において空間光変調器２０の周縁部２０ｂに対して灯具前方側から当接するようになっている。
【００６２】
図２に示すように、水平面部４０Ｂは、リフレクタ６４よりも灯具前方側まで延びるように形成されており、この水平面部４０Ｂにはリフレクタ６４を挿通させるための横長矩形状の開口部４０Ｂａが形成されている。
【００６３】
ヒートシンク５０は、金属製（例えばアルミダイカスト製）の部材であって、光軸Ａｘと直交する鉛直面に沿って延びるように配置されており、その後面には複数の放熱フィン５０ｂが縦縞状に形成されている。
【００６４】
このヒートシンク５０の前面の中央部には、灯具前方へ向けて突出する角柱状の突起部５０ｃが形成されている。この突起部５０ｃは光軸Ａｘを中心とする横長矩形状の断面形状を有しており、その大きさはソケット２２の内周面形状よりも小さい値に設定されている。そして、この突起部５０ｃは、支持基板３０の開口部３０ａを挿通した状態で、その前端面において空間光変調器２０の中央部（すなわち反射光制御領域２０ａが位置する部分）に対して灯具後方側から当接するようになっている。
【００６５】
このヒートシンク５０は、その突起部５０ｃの前端面が空間光変調器２０の中央部（すなわち反射光制御領域２０ａが位置する部分）に対して灯具後方側から当接した状態で、左右２対の段付きボルト５２によってブラケット４０の鉛直面部４０Ａに固定されている。この固定は、突起部５０ｃによって空間光変調器２０を灯具前方へ向けて弾性的に押圧した状態で行われるようになっている。
【００６６】
この押圧を行うための具体的な構成は以下のとおりである。
【００６７】
すなわち、左右２対の段付きボルト５２は、空間光変調器２０の左右両側の上下２箇所に位置するように配置されている。
【００６８】
図４に示すように、各段付きボルト５２は、その大径部５２ｂが灯具後方側からヒートシンク５０に形成されたボルト挿通孔５０ａおよび支持基板３０に形成されたボルト挿通孔３０ｂを挿通するように配置された状態で、その先端の小径部５２ａにおいてブラケット４０の鉛直面部４０Ａに螺着されている。これを実現するため、ブラケット４０の鉛直面部４０Ａには、４本の段付きボルト５２に対応した４箇所に、各段付きボルト５２の小径部５２ａを螺着するためのネジ孔４０Ａｂが形成されている。ブラケット４０の鉛直面部４０Ａは、各ネジ孔４０Ａｂの周辺部分が灯具後方側に厚くなった厚肉部４０Ａｃとして形成されている。
【００６９】
各段付きボルト５２の大径部５２ｂには、ヒートシンク５０の突起部５０ｃを灯具前方側へ向けて弾性的に押圧するためのバネ５４が取り付けられている。各バネ５４は、各段付きボルト５２の頭部５２ｃとヒートシンク５０との間に配置された圧縮コイルバネで構成されている。
【００７０】
このように空間光変調器２０の左右両側の上下２箇所においてヒートシンク５０を灯具前方側へ向けて弾性的に押圧することにより、空間光変調器２０に無理な荷重を作用させないようにした状態で、その中央部を灯具前方側へ向けて弾性的に押圧するようになっている。そしてこれにより、空間光変調器２０の周縁部２０ｂに形成された複数の端子ピン２０ｃがソケット２２に形成された複数の嵌合孔（すなわち端子ピン２２ａの略筒状に形成された基端部）に適正に嵌め込まれた状態（すなわち空間光変調器２０とソケット２２との電気的接続が確実に行われた状態）を維持するようになっている。
【００７１】
空間光変調器２０の周囲には、灯具前後方向に延びる左右１対のシャフト５６が、その後端部においてヒートシンク５０に固定された状態で配置されている。具体的には、各シャフト５６は、ヒートシンク５０と一体で形成されており、ヒートシンク５０の突起部５０ｃの左右両側において灯具前方へ向けて円柱状に延びるように形成されている。
【００７２】
支持基板３０には、左右１対のシャフト５６を挿通させるための左右１対のシャフト挿通孔３０ｃが形成されている。各シャフト挿通孔３０ｃは、各シャフト５６よりもある程度大きい径を有する円筒状の開口部として形成されている。
【００７３】
また、ブラケット４０の鉛直面部４０Ａには、左右１対のシャフト５６の先端部を挿入させた状態で灯具前後方向と直交する方向に関して位置決めするための左右１対のシャフト位置決め孔４０Ａｄが形成されている。各シャフト位置決め孔４０Ａｄは、各シャフト５６よりも僅かに大きい径で形成されている。
【００７４】
各シャフト位置決め孔４０Ａｄは、鉛直面部４０Ａの後面に形成されたスリーブ４０Ａｅによって鉛直面部４０Ａの板厚よりも長く灯具後方へ向けて延びるように形成されており、これにより各シャフト５６と一定の長さにわたって摺動可能に係合するようになっている。そしてこれにより、ブラケット４０の鉛直面部４０Ａが光軸Ａｘと直交する鉛直面に対して傾斜してしまうのを未然に防止するようになっている。
【００７５】
図５は、図２のＶ部詳細図である。また、図６は、空間光変調ユニット１０をその構成要素に分解して示す斜視図であり、図７は、空間光変調ユニット１０の要部を示す斜視図である。
【００７６】
これらの図にも示すように、ブラケット４０の鉛直面部４０Ａは、支持基板３０よりも大きい左右幅で形成されており、その左右両端面の上下２箇所には矩形状の切欠き部４０Ａｉが形成されている。
【００７７】
支持基板３０の左右両端面の上下２箇所には、支持基板３０をユニット前後方向両側から挟持する挟持部材３２が装着されている。各挟持部材３２は、ブラケット４０の鉛直面部４０Ａに対して各切欠き部４０Ａｉの位置において固定されている。
【００７８】
各挟持部材３２は、平面視においてＬ字形に形成された２枚の金属板３２Ａ、３２Ｂが、灯具前後方向（すなわちユニット前後方向）に間隔をおいて配置された状態で互いに溶接されることにより構成されており、２枚の金属板３２Ａ、３２Ｂが重ね合わされた重合部３２ａにおいてブラケット４０の鉛直面部４０Ａに固定されている。
【００７９】
具体的には、ブラケット４０の鉛直面部４０Ａにおける左右両端面の上下２箇所には、灯具前後方向と直交する水平方向に延びるネジ穴４０Ａｆが形成されている。一方、各挟持部材３２の重合部３２ａには、灯具前後方向に延びる長孔３２ｂが形成されている。そして、各長孔３２ｂを介して各ネジ穴４０Ａｆにネジ３４が締め付けられることにより、各挟持部材３２のブラケット４０への固定が行われるようになっている。各挟持部材３２は、その重合部３２ａの前半部分３２ａ１が他の部分よりも小さい上下幅で形成されている。
【００８０】
２枚の金属板３２Ａ、３２Ｂの溶接は、重合部３２ａにおける長孔３２ｂの周囲の複数箇所（例えば、長孔３２ｂの灯具前方側と灯具斜め上方側と灯具斜め下方側の３箇所）においてスポット溶接によって行われている。
【００８１】
なお、各金属板３２Ａ、３２Ｂの先端面（すなわち光軸Ａｘ寄りの端面）は、段付きボルト５２の大径部５２ｂとの干渉を回避するため、円弧状に切り欠かれている。
【００８２】
ブラケット４０の鉛直面部４０Ａにおける左右両端面の上下２箇所には、各挟持部材３２における重合部３２ａの前半部分３２ａ１と係合した状態で灯具前後方向に延びるガイド溝部４０Ａｇが形成されている。
【００８３】
図６に示すように、空間光変調器２０の周縁部２０ｂの前面には、光軸Ａｘに関して対角線上に位置する２箇所に円筒状の位置決め穴２０ｂ１が形成されている。一方、ブラケット４０の鉛直面部４０Ａには、空間光変調器２０の位置決め穴２０ｂ１に対応する位置に、灯具後方へ向けて延びる円柱状の位置決めピン４０Ａｊが形成されている。
【００８４】
そして、ブラケット４０の各位置決めピン４０Ａｊが空間光変調器２０の各位置決め穴２０ｂ１に挿入されることにより、空間光変調ユニット１０をブラケット４０に組み付ける際に光軸Ａｘと直交する方向の位置決めがなされるとともに、その組付け後は空間光変調器２０が光軸Ａｘと直交する鉛直面内において不用意に変位してしまうのを未然に防止するようになっている。
【００８５】
次に、レンズ側サブアッシー７０の構成について説明する。
【００８６】
図３に示すように、投影レンズ７２は、光軸Ａｘ上において灯具前後方向に所要間隔をおいて配置された第１および第２レンズ７２Ａ、７２Ｂで構成されている。
【００８７】
灯具前方側に位置する第１レンズ７２Ａは、両凸レンズとして構成されており、灯具後方側に位置する第２レンズ７２Ｂは、灯具後方へ向けて膨らんだ凹メニスカスレンズとして構成されている。その際、これら第１および第２レンズ７２Ａ、７２Ｂは、その上端部が水平面に沿って僅かに切除されるとともにその下部部が水平面に沿って比較的大きく切除された構成となっている。
【００８８】
そして、これら第１および第２レンズ７２Ａ、７２Ｂは、その外周縁部において共通のレンズホルダ７４に支持されている。
【００８９】
このレンズホルダ７４は、金属製（例えばアルミダイカスト製）の部材であって、投影レンズ７２を筒状に囲むように形成されたホルダ本体７４Ａと、このホルダ本体７４Ａの外周面の下端部において水平面に沿って左右両側に張り出すように形成された１対のフランジ部７４Ｂとを備えた構成となっている。
【００９０】
ホルダ本体７４Ａの内周面には、第１および第２レンズ７２Ａ、７２Ｂを位置決めするための突起部７４Ａａが形成されている。一方、左右１対のフランジ部７４Ｂは、いずれも一定の左右幅でレンズホルダ７４の全長にわたって灯具前後方向に延びるようにして平板状に形成されている。
【００９１】
図８は、レンズ側サブアッシー７０をブラケット４０と共に分解して示す斜視図である。
【００９２】
同図にも示すように、レンズホルダ７４は、その左右１対のフランジ部７４Ｂにおいて、ブラケット４０の水平面部４０Ｂに対して機械的締結により固定されている。この機械的締結による固定はネジ締めによって行われている。
【００９３】
これを実現するため、レンズホルダ７４の各フランジ部７４Ｂには、該フランジ部７４Ｂを上下方向に貫通する前後１対のネジ挿通孔７４Ｂａが形成されている。また、ブラケット４０の水平面部４０Ｂには、ネジ穴を有する前後１対のボス部４０Ｂｂが下方へ突出するように形成されている。そして、各フランジ部７４Ｂの上方からネジ７６が各ネジ挿通孔７４Ｂａを介して各ボス部４０Ｂｂのネジ穴に螺着されるようになっている。
【００９４】
その際、各ネジ挿通孔７４Ｂａは、各ネジ７６のネジ径よりも大きい左右幅で灯具前後方向に延びる長孔として形成されており、これによりレンズホルダ７４をブラケット４０に対する灯具前後方向の位置を調整した状態でネジ締めを行い得る構成となっている。
【００９５】
レンズホルダ７４の各フランジ部７４Ｂの下面には、前後１対のネジ挿通孔７４Ｂａの前後方向の中央位置において鉛直下方へ向けて突出する位置決めピン７４Ｂｂが形成されている。各位置決めピン７４Ｂｂは、円柱状に形成されており、その先端部は凸曲面状に形成されている。また、各位置決めピン７４Ｂｂのフランジ部７４Ｂからの下方突出量は、ブラケット４０の水平面部４０Ｂの板厚よりもやや大きい値に設定されている。
【００９６】
一方、ブラケット４０の水平面部４０Ｂには、各位置決めピン７４Ｂｂに対応する位置に該水平面部４０Ｂを上下方向に貫通する長孔４０Ｂｃが形成されている。各長孔４０Ｂｃは、位置決めピン７４Ｂｂの径よりも僅かに大きい左右幅で灯具前後方向に延びる長孔として形成されている。
【００９７】
そして、レンズホルダ７４をブラケット４０に対してネジ締めする際、予め位置決めピン７４Ｂｂを長孔４０Ｂｃに挿入しておくことにより、レンズホルダ７４がブラケット４０に対して左右方向に変位するのを規制した上で、レンズホルダ７４とブラケット４０との灯具前後方向の位置関係を微調整し得るようになっている。これにより、ネジ締め時に発生するトルクによってレンズホルダ７４がブラケット４０に対して不用意に回転しまうのを未然に防止し、空間光変調器２０と投影レンズ７２との位置関係精度を高めるようになっている。
【００９８】
次に本実施形態の作用について説明する。
【００９９】
本実施形態に係る空間光変調ユニット１０は、車両用灯具１００に組み込まれているが、この空間光変調ユニット１０は、光源６２からの光を反射させる反射型の空間光変調器２０を備えているので、この空間光変調器２０においてその反射光の空間的な分布を制御することにより、種々の配光パターンを精度良く形成することができる。
【０１００】
その際、空間光変調器２０は、該空間光変調器２０の周縁部２０ｂをソケット２２を介してユニット後方側（すなわち灯具後方側）から支持する支持基板３０と電気的に接続されているが、空間光変調器２０のユニット前方側にはその周縁部２０ｂにユニット前方側から当接するブラケット４０が配置されているので、空間光変調器２０と支持基板３０との電気的接続を安定的に維持することができる。
【０１０１】
その上で、支持基板３０の複数箇所には該支持基板３０をユニット前後方向両側から挟持する挟持部材３２が装着されており、各挟持部材３２はブラケット４０に固定されているので、支持基板３０とブラケット４０とをユニット前後方向に関して一定の位置関係に維持することができる。
【０１０２】
したがって、空間光変調ユニット１０に振動荷重や衝撃荷重が作用した場合であっても、支持基板３０とブラケット４０とのユニット前後方向の位置関係がずれてしまわないようにすることができる。
【０１０３】
そしてこれにより、空間光変調ユニット１０が車載用であるにもかかわらず、空間光変調器２０と支持基板３０との接続部分に無理な荷重が作用して該接続部分が破損しまうのを効果的に抑制することができる。
【０１０４】
このように本実施形態によれば、反射型の空間光変調器２０を備えた車載用の空間光変調ユニット１０において、振動荷重等によって空間光変調器２０と支持基板３０との接続部分が破損してしまうのを効果的に抑制することができる。
【０１０５】
本実施形態においては、ブラケット４０の複数箇所にユニット前後方向と直交する方向に延びるネジ穴４０Ａｆが形成されるとともに、各挟持部材３２にユニット前後方向に延びる長孔３２ｂが形成されており、そして、各長孔３２ｂを介して各ネジ穴４０Ａｆにネジ３４が締め付けられることにより各挟持部材３２のブラケット４０への固定が行われているので、支持基板３０がユニット前後方向に関して最適な位置に配置された状態でブラケット４０に固定支持される構成とすることができる。そしてこれにより、振動荷重等によって空間光変調器２０と支持基板３０との接続部分が破損してしまうのを一層効果的に抑制することができる。
【０１０６】
その際、ブラケット４０の複数箇所の各々には、各挟持部材３２と係合するようにしてユニット前後方向に延びるガイド溝部４０Ａｇが形成されているので、各挟持部材３２をネジ締めによって支持基板３０に装着する際に該挟持部材３２が不用意に回転してしまうのを未然に防止することができる。そしてこれにより、各挟持部材３２を支持基板３０に対して適正な状態で装着することができる。
【０１０７】
しかも本実施形態においては、支持基板３０において各挟持部材３２が装着される複数箇所が、空間光変調器２０の左右両側の上下２箇所に設定されているので、ブラケット４０による支持基板３０の固定支持が安定的に行われるようにすることができる。そしてこれにより、振動荷重等によって空間光変調器２０と支持基板３０との接続部分が破損してしまうのを一層効果的に抑制することができる。
【０１０８】
その際、各挟持部材３２は、Ｌ字形に形成された２枚の金属板がユニット前後方向に間隔をおいて配置された状態で互いに溶接された構成となっているので、各挟持部材３２を安価で簡易な構成とすることができる。
【０１０９】
また本実施形態においては、支持基板３０よりもユニット後方側に、空間光変調器２０の中央部（すなわち反射光制御領域２０ａが位置する部分）に当接した状態で該空間光変調器２０をユニット前方側へ向けて弾性的に押圧するヒートシンク５０が配置されているので、空間光変調器２０に無理な荷重が作用しないようにした上で空間光変調器２０の放熱を図ることができる。
【０１１０】
その際、支持基板３０とブラケット４０とのユニット前後方向の位置関係は一定に維持されているので、空間光変調ユニット１０に振動荷重や衝撃荷重が作用した場合であっても空間光変調器２０とヒートシンク５０との位置関係がずれてしまうことはなく、したがってヒートシンク５０からの荷重によって空間光変調器２０が破損してしまうのを未然に防止することができる。
【０１１１】
しかも、空間光変調器２０の周囲には、ヒートシンク５０をブラケット４０に固定するための複数の段付きボルト５２が配置されており、各段付きボルト５２は、その大径部５２ｂがヒートシンク５０に形成されたボルト挿通孔５０ａおよび支持基板３０に形成されたボルト挿通孔３０ｂを挿通した状態でその先端面においてブラケット４０に当接するとともにその小径部５２ａにおいてブラケット４０に螺着されており、かつ、その大径部５２ｂにはヒートシンク５０をユニット前方へ向けて弾性的に押圧するためのバネ５４が取り付けられているので、ヒートシンク５０による空間光変調器２０の押圧が所定の弾性押圧力で安定的に行われるようにすることが容易に可能となる。
【０１１２】
さらに、空間光変調器２０の周囲には、ユニット前後方向に延びる左右１対のシャフト５６がその後端部においてヒートシンク５０に固定された状態で配置されており、また、支持基板３０には左右１対のシャフト挿通孔３０ｃが形成されるとともに、ブラケット４０には左右１対のシャフト位置決め孔４０Ａｄが形成されており、そして各シャフト５６は、各シャフト挿通孔３０ｃを挿通するように配置された状態でその前端部が各シャフト位置決め孔４０Ａｄに挿入されているので、次のような作用効果を得ることができる。
【０１１３】
すなわち、左右１対のシャフト５６の存在によって、ヒートシンク５０とブラケット４０とがユニット前後方向と直交する方向に関して一定の位置関係に維持されるようにすることができる。したがって、支持基板３０における空間光変調器２０の左右両側の上下２箇所に挟持部材３２が装着されることのみによっては、支持基板３０とブラケット４０とがユニット前後方向と直交する方向に関して一定の位置関係に維持されることは困難であるが、その位置関係を維持することが可能となる。そしてこれにより、挟持部材３２が装着される箇所を最小限に抑えることが可能となり、また各挟持部材３２の構成をより簡素化することが可能となる。
【０１１４】
上記第１実施形態においては、各シャフト５６がヒートシンク５０の一部として一体的に形成されているものとして説明したが、各シャフト５６をヒートシンク５０とは別部材で構成した上で、その後端部５６ｃをヒートシンク５０に圧入やネジ締め等によって固定する構成とすることも可能である。
【０１１５】
上記第１実施形態においては、支持基板３０が、空間光変調器２０の周縁部２０ｂに対してソケット２２を介して当接した状態で該空間光変調器２０と電気的に接続されているものとして説明したが、支持基板３０が、空間光変調器２０の周縁部２０ｂに対して直接当接した状態で該空間光変調器２０と電気的に接続された構成とすることも可能である。
【０１１６】
上記第１実施形態においては、灯具前後方向（すなわち光軸Ａｘが延びる方向）とユニット前後方向（すなわち空間光変調器２０の反射光制御領域２０ａの前面と直交する方向とが一致しているものとして説明したが、ユニット前後方向が灯具前後方向に対して傾斜した方向に延びる構成とすることも可能である。
【０１１７】
上記第１実施形態においては、リフレクタ６４で反射した光源６２からの出射光を空間光変調器２０で反射させる構成となっているが、レンズ等によって偏向制御した光源６２からの出射光を空間光変調器２０で反射させる構成や光源６２からの出射光を直接空間光変調器２０で反射させる構成を採用することも可能である。
【０１１８】
次に、上記第１実施形態の挟持部材３２の第１〜第４変形例について説明する。
【０１１９】
図９（ａ）は、第１変形例に係る挟持部材１３２を示す斜視図である。
【０１２０】
同図（ａ）に示すように、本変形例の挟持部材１３２も、上記第１実施形態の挟持部材３２と同様、平面視においてＬ字形に形成された２枚の金属板１３２Ａ、１３２Ｂが、ユニット前後方向に間隔をおいて配置された状態で互いに溶接されており、２枚の金属板１３２Ａ、１３２Ｂが重ね合わされた重合部１３２ａにはユニット前後方向に延びる長孔１３２ｂが形成されている。
【０１２１】
ただし、２枚の金属板１３２Ａ、１３２Ｂは、その先端面（すなわち光軸Ａｘ寄りの端面）の位置が互いにずれた状態で形成されている。
【０１２２】
本変形例の構成を採用することにより、挟持部材１３２の支持基板３０への装着を容易に行うことが可能となる。
【０１２３】
図９（ｂ）は、第２変形例に係る挟持部材２３２を示す斜視図である。
【０１２４】
同図（ｂ）に示すように、本変形例の挟持部材２３２も、上記第１実施形態の挟持部材３２と同様、平面視においてＬ字形に形成された２枚の金属板２３２Ａ、２３２Ｂが、ユニット前後方向に間隔をおいて配置された状態で互いに溶接されており、２枚の金属板２３２Ａ、２３２Ｂが重ね合わされた重合部２３２ａにはユニット前後方向に延びる長孔２３２ｂが形成されている。
【０１２５】
ただし、２枚の金属板２３２Ａ、２３２Ｂは、その先端部（すなわち光軸Ａｘ寄りの端部）２３２Ａａ、２３２Ｂａがユニット前後方向に開くようにして斜めに折り曲げられている。
【０１２６】
本変形例の構成を採用することにより、挟持部材２３２の支持基板３０への装着をさらに容易に行うことが可能となる。
【０１２７】
図９（ｃ）は、第３変形例に係る挟持部材３３２を示す斜視図である。
【０１２８】
同図（ｃ）に示すように、本変形例の挟持部材３３２も、上記第１実施形態の挟持部材３２と同様の形状を有しているが、単一の金属板を折り曲げることによって形成されている点で、上記第１実施形態の場合と異なっている。
【０１２９】
すなわち、本変形例の挟持部材３３２は、上記第１実施形態の挟持部材３２における２枚の金属板３２Ａ、３２Ｂと同様の形状を有する２枚の板状部３３２Ａ、３３２Ｂが、その前端位置において繋がった単一の金属板で構成されている。
【０１３０】
この挟持部材３３２においても、２枚の板状部２３２Ａ、２３２Ｂが重ね合わされた重合部３３２ａにはユニット前後方向に延びる長孔３３２ｂが形成されている。
【０１３１】
本変形例の構成を採用することにより、挟持部材３３２を製造する際の溶接工程を廃止することができる。
【０１３２】
図９（ｄ）は、第４変形例に係る挟持部材４３２を示す斜視図である。
【０１３３】
同図（ｄ）に示すように、本変形例の挟持部材４３２は、上記第１実施形態において上下２箇所に配置される上下１対の挟持部材３２が一体的に形成された構成となっている。
【０１３４】
すなわち、本変形例の挟持部材４３２も、平面視においてＬ字形に形成された２枚の金属板４３２Ａ、４３２Ｂがユニット前後方向に間隔をおいて配置された状態で互いに溶接された構成となっている。そして、この挟持部材４３２は、上記第１実施形態の挟持部材３２と同様の構成を有する上下２箇所の部分が、２枚の金属板４３２Ａ、４３２Ｂが重ね合わされた重合部４３２ａにおいて上下方向に延びる連結部４３２ｃを介して一体化された構成となっている。
【０１３５】
この挟持部材４３２においても、上下２箇所の重合部３３２ａにはユニット前後方向に延びる長孔４３２ｂが形成されている。
【０１３６】
本変形例の構成を採用することにより、部品点数を削減することができ、また、上下２箇所において支持基板３０に装着された挟持部材４３２をブラケット４０に固定する際のネジ締め作業を安定的に行うことが可能となる。
【０１３７】
次に、本願発明の第２実施形態について説明する。
【０１３８】
図１０は、本実施形態に係る空間光変調ユニット５１０が組み込まれたヘッドアップディスプレイ５００を示す側断面図である。
【０１３９】
このヘッドアップディスプレイ５００は、車両のフロントウインドウ２と、このフロントウインドウ２の下方に位置するようにして車室内に配置された空間光変調ユニット５１０と、この空間光変調器２０に対して車両前方側に配置された凹面鏡５８０とを備えており、空間光変調ユニット５１０において生成された画像情報を凹面鏡５８０およびフロントウインドウ２で順次反射させることによりドライバー４に視覚的に認知させるように構成されている。
【０１４０】
このため、空間光変調ユニット５１０は、その基本的な構成に関しては上記第１実施形態に係る空間光変調ユニット１０と同様であるが、リフレクタ６４で反射した光源６２からの光に対する空間光変調器２０の反射光制御の内容が異なっている。また、この空間光変調ユニット５１０においては、ブラケット５４０が上記第１実施形態のブラケット４０のようにレンズ側サブアッシー７０の支持機能を備えていない点でも上記第１実施形態の場合と異なっている。
【０１４１】
この空間光変調ユニット５１０は、空間光変調器２０からの反射光を凹面鏡５８０で反射させてフロントウインドウ２の内面に入射させるため、そのユニット基準軸（すなわち空間光変調器２０の反射光制御領域２０ａと直交する方向に延びる軸線）Ａｘ１は車両前方へ向けて下向きに傾斜した方向に延びた状態で配置されている。すなわち、図１０において、Ｘで示す方向が空間光変調ユニット１０としての「前方」（車両としては「斜め下前方」）であり、Ｚで示す方向が「前方」と直交する「上方向」（車両としては「斜め上前方」）である。
【０１４２】
次に本実施形態の作用について説明する。
【０１４３】
本実施形態に係る空間光変調ユニット５１０は、ヘッドアップディスプレイ５００の一部として構成されているが、この空間光変調ユニット５１０は、光源６２からの光を反射させる反射型の空間光変調器２０を備えているので、この空間光変調器２０においてその反射光の空間的な分布を制御することにより、種々の画像情報を精度良く生成することができる。
【０１４４】
その際、空間光変調ユニット５１０は、上記第１実施形態に係る空間光変調ユニット１０と同様の構成を有しているので、振動荷重等によって空間光変調器２０が破損したり空間光変調器２０と支持基板３０との接続部分が破損してしまうのを効果的に抑制することができる。
【０１４５】
なお、上記各実施形態およびその変形例において諸元として示した数値は一例にすぎず、これらを適宜異なる値に設定してもよいことはもちろんである。
【０１４６】
また本願発明は、上記各実施形態およびその変形例に記載された構成に限定されるものではなく、これ以外の種々の変更を加えた構成が採用可能である。
【符号の説明】
【０１４７】
２  フロントウインドウ
４  ドライバー
１０、５１０  空間光変調ユニット
２０  空間光変調器
２０ａ  反射光制御領域
２０ｂ  周縁部
２０ｂ１  位置決め穴
２０ｃ、２２ａ  端子ピン
２２  ソケット
３０  支持基板
３０ａ  開口部
３０ｂ  ボルト挿通孔
３０ｃ  シャフト挿通孔
３２、１３２、２３２、３３２、４３２  挟持部材
３２Ａ、３２Ｂ、１３２Ａ、１３２Ｂ、２３２Ａ、２３２Ｂ、４３２Ａ、４３２Ｂ  金属板
３２ａ、１３２ａ、２３２ａ、３３２ａ、４３２ａ  重合部
３２ａ１  前半部分
３２ｂ、１３２ｂ、２３２ｂ、３３２ｂ、４３２ｂ  長孔
３４、７６  ネジ
４０、５４０  ブラケット
４０Ａ  鉛直面部
４０Ａａ  開口部
４０Ａｂ  ネジ孔
４０Ａｃ  厚肉部
４０Ａｄ  シャフト位置決め孔
４０Ａｅ  スリーブ
４０Ａｆ  ネジ穴
４０Ａｇ  ガイド溝部
４０Ａｈ  突起部
４０Ａｉ  切欠き部
４０Ａｊ  位置決めピン
４０Ｂ  水平面部
４０Ｂａ  開口部
４０Ｂｂ  ボス部
４０Ｂｃ  長孔
４０Ｃ  補強フランジ部
５０  ヒートシンク
５０ａ  ボルト挿通孔
５０ｂ  放熱フィン
５０ｃ  突起部
５２  段付きボルト
５２ａ  小径部
５２ｂ  大径部
５２ｃ  頭部
５４  バネ
５６  シャフト
６０  光源側サブアッシー
６２  光源
６４  リフレクタ
６４ａ  反射面
６６  ベース部材
７０  レンズ側サブアッシー
７２  投影レンズ
７２Ａ  第１レンズ
７２Ｂ  第２レンズ
７４  レンズホルダ
７４Ａ  ホルダ本体
７４Ａａ  突起部
７４Ｂ  フランジ部
７４Ｂａ  ネジ挿通孔
７４Ｂｂ  位置決めピン
１００  車両用灯具
２３２Ａａ、２３２Ｂａ  先端部
３３２Ａ、３３２Ｂ  板状部
４３２ｃ  連結部
５００  ヘッドアップディスプレイ
５８０  凹面鏡
Ａｘ  光軸
Ａｘ１  ユニット基準軸
Ｆ  後側焦点
【図１】
2020042929.tif 000003
【図２】
2020042929.tif 000004
【図３】
2020042929.tif 000005
【図４】
2020042929.tif 000006
【図５】
2020042929.tif 000007
【図６】
2020042929.tif 000008
【図７】
2020042929.tif 000009
【図８】
2020042929.tif 000010
【図９】
2020042929.tif 000011
【図１０】
2020042929.tif 000012